(57)【特許請求の範囲】
【請求項１】
長手方向に送り出される帯状抄紙用具が洗浄されて付着物が除去される帯状抄紙用具の洗浄装置において、
送り出される前記帯状抄紙用具の面が支持される支持面が形成された支持部と、
前記支持部の下流側に配置されて前記帯状抄紙用具の面と間を空けて対面し、前記付着物に接触して前記付着物を除去する除去部と、
前記支持面を基準面とし、この基準面に対する前記除去部の位置を調節する調節機構と、
が備えられた、
こと特徴とする帯状抄紙用具の洗浄装置。
【請求項２】
前記支持面の上流側に、前記帯状抄紙用具から離れる方向に傾斜した傾斜部が形成された、
ことを特徴とする請求項１に記載された帯状抄紙用具の洗浄装置。
【請求項３】
前記支持部が、上流側支持部と下流側支持部とから構成され、
前記付着物を吸引する吸引部の吸引口が、前記上流側支持部と前記下流側支持部との間に形成され、
前記除去部が、前記吸引口に配置された、
ことを特徴とする請求項１または請求項２に記載された帯状抄紙用具の洗浄装置。
【請求項４】
前記除去部が、前記帯状抄紙用具と対面したまま前記帯状抄紙用具に沿って移動することで前記付着物に接触し、前記付着物が除去される、
ことを特徴とする請求項１から請求項３のいずれか１項に記載された帯状抄紙用具の洗浄装置。
【請求項５】
前記付着物を湿潤させるための洗浄水が噴射される洗浄水噴出部が前記支持部の上流側に配置され、前記洗浄水が前記支持面と前記帯状抄紙用具との間に噴射される、
ことを特徴とする請求項１から請求項４のいずれか１項に記載された帯状抄紙用具の洗浄装置。
【発明の詳細な説明】
【技術分野】
【０００１】
本発明は、抄紙機に用いられる帯状抄紙用具を洗浄する際に用いられる帯状抄紙用具の洗浄装置に関するものである。
【背景技術】
【０００２】
従来、帯状抄紙用具の洗浄装置は、例えば製紙過程の抄紙に用いられる抄紙機の網、フィルタ、フェルト類、ワイヤーファブリック、及びカンバスなどの帯状抄紙用具が洗浄される際に用いられ、例えば、ホットメルト、カーボン、インキなどの付着物を帯状抄紙用具から除去するものである。この様な洗浄装置として、例えば下記特許文献１に記載された無端帯状体の洗浄装置がある。
【０００３】
下記特許文献１に記載された無端帯状体の洗浄装置は、無端帯状体の表面に付着した付着物に対して外力を付与する外力付与装置が備えられている。外力付与装置は、無端帯状体の表面を摺動する摺動部材が備えられ、摺動部材の周面にエッジが形成されている。無端帯状体の表面に付着した付着物はエッジに引っ掛かり、無端帯状体の表面から剥ぎ取られる。
【先行技術文献】
【特許文献】
【０００４】
【特許文献１】特開２００２−２８２８０３号公報
【発明の概要】
【発明が解決しようとする課題】
【０００５】
しかし、上記した無端帯状体の洗浄装置によれば、無端帯状体の表面に付着した付着物が、摺動部材のエッジに引っ掛って無端帯状体の表面から剥ぎ取られるため、無端帯状体の種類によってはエッジが引っ掛かることにより無端帯状体が痛む場合がある。
【０００６】
本発明は、上記の実情に鑑みて提案されたものである。すなわち、帯状抄紙用具の種類に応じて適切に洗浄することができ、洗浄に際して帯状抄紙用具を傷め難くすることができる帯状抄紙用具の洗浄装置の提供を目的とする。
【課題を解決するための手段】
【０００７】
上記目的を達成するために、本発明に係る帯状抄紙用具の洗浄装置は、長手方向に送り出される帯状抄紙用具が洗浄されて付着物が除去される帯状抄紙用具の洗浄装置において、送り出される前記帯状抄紙用具の面が支持される支持面が形成された支持部と、前記支持部の下流側に配置されて前記帯状抄紙用具の面と対面し、前記付着物に接触して前記付着物を除去する除去部と、前記支持面を基準面とし、この基準面に対する前記除去部の位置を調節する調節機構と、が備えられた、こと特徴とする。
【０００８】
本発明に係る帯状抄紙用具の洗浄装置は、前記支持面の上流側に、前記帯状抄紙用具から離れる方向に傾斜した傾斜部が形成された、こと特徴とする。
【０００９】
本発明に係る帯状抄紙用具の洗浄装置は、前記支持部が、上流側支持部と下流側支持部とから構成され、前記付着物を吸引する吸引部の吸引口が、前記上流側支持部と前記下流側支持部との間に形成され、前記除去部が、前記吸引口に配置された、こと特徴とする。
【００１０】
本発明に係る帯状抄紙用具の洗浄装置は、前記除去部が、前記帯状抄紙用具と対面したまま前記帯状抄紙用具に沿って移動することで前記付着物に接触し、前記付着物が除去される、こと特徴とする。
【００１１】
本発明に係る帯状抄紙用具の洗浄装置は、前記付着物を湿潤させるための洗浄水が噴射される洗浄水噴出部が前記支持部の上流側に配置され、前記洗浄水が前記支持面と前記帯状抄紙用具との間に噴射される、こと特徴とする。
【発明の効果】
【００１２】
本発明に係る帯状抄紙用具の洗浄装置は上記した構成である。調節機構により、帯状抄紙用具の種類や、付着物の大きさなどに応じて、帯状抄紙用具と除去部との間隔が適切な間隔に任意に調節される。例えば、除去部の位置が基準面に対し、帯状抄紙用具の厚み方向の下方に調節された場合、除去部が帯状抄紙用具の面と間隔を空けて配置され、除去部が付着物にのみ接触し、付着物が剥離されて除去される。したがって、洗浄に際して帯状抄紙用具を傷め難くすることができる。
【００１３】
一方、除去部の位置が基準面に対し、帯状抄紙用具の厚み方向の上方に調節された場合、除去部が帯状抄紙用具の面に押し当てられて配置され、除去部が付着物に接触し、付着物が剥離されて除去される。したがって、帯状抄紙用具の種類に応じて適切に洗浄することができる。
【００１４】
本発明に係る帯状抄紙用具の洗浄装置は、支持面の上流側に、帯状抄紙用具から離れる方向に傾斜した傾斜部が形成されている。この構成により、帯状抄紙用具が接触する支持面の縁が鈍角に形成され、縁が帯状抄紙用具に接触しない。したがって、帯状抄紙用具を傷めずに送り出すことができ、洗浄することができる。
【００１５】
本発明に係る帯状抄紙用具の洗浄装置は、支持部が、上流側支持部と下流側支持部とから構成され、付着物を吸引する吸引部の吸引口が、上流側支持部と下流側支持部との間に形成され、除去部が吸引口に配置されている。すなわち、吸引部の吸引口が上流側支持部と下流側支持部とから形成され、吸引口の内側に除去部が配置されることにより、各部が一体である。除去部によって剥離された付着物や、途中まで剥離されて除去されかかった付着物が、吸引部によって吸引される。したがって、省スペースを実現することができる。
【００１６】
本発明に係る帯状抄紙用具の洗浄装置は、除去部が、帯状抄紙用具と対面したまま帯状抄紙用具に沿って移動することで付着物に接触して除去するものである。この構成により、除去部が付着物にのみ接触し、付着物が帯状用紙用具に対してほぼ平行に引っ張られて剥離され、除去される。したがって、付着物を確実に剥離し、除去することができる。
【００１７】
本発明に係る帯状抄紙用具の洗浄装置は、付着物を湿潤させるための洗浄水が噴射される洗浄水噴出部が支持部の上流側に配置され、洗浄水が支持面と帯状抄紙用具との間に噴射される。したがって、付着物を剥離しやすくすることができ、支持面に対する帯状抄紙用具の摺動を潤滑にすることができる。
【図面の簡単な説明】
【００１８】
【図１】本発明の実施形態に係る帯状抄紙用具の洗浄装置が示され、（ａ）が平面図、（ｂ）が正面図である。
【図２】本発明の実施形態に係る帯状抄紙用具の洗浄装置が示され、（ａ）が一方の側方から視した側面図、（ｂ）が他方の側方から視した側面図である。
【図３】本発明の実施形態に係る帯状抄紙用具の洗浄装置が示され、（ａ）が図１（ａ）のＡ拡大平面図、（ｂ）が図１（ｂ）のＢ拡大正面図であり、（ｃ）がＣ−Ｃ断面側面図である。
【図４】本発明の実施形態に係る帯状抄紙用具の洗浄装置の使用状態の一例を示した要部拡大図（図３（ｃ）のＤ拡大図）である。
【図５】本発明の実施形態に係る帯状抄紙用具の洗浄装置の使用状態の他の例を示した要部拡大図（図３（ｃ）のＤ拡大図）である。
【図６】本発明の実施形態に係る帯状抄紙用具の洗浄装置の要部が示され、（ａ）が除去部の平面図、（ｂ）が調節機構の平面図、（ｃ）が側方から視した除去部のＥ−Ｅ断面側面図、（ｄ）が側方から視した調節機構の側面図である。
【図７】本発明の実施形態に係る帯状抄紙用具の洗浄装置の調節機構が示され、（ａ）が平面図、（ｂ）が側方から視した側面図、（ｃ）が正面図、（ｄ）が一方の平面図、（ｅ）が側方から視した一方の側面図、（ｆ）が一方の正面図、（ｇ）が他方の平面図、（ｈ）が側方から視した他方の側面図、（ｉ）が他方の正面図である。
【図８】本発明の実施形態に係る帯状抄紙用具の洗浄装置の除去部が示され、（ａ）が平面図、（ｂ）が側方から視した側面図、（ｃ）がＦ−Ｆ断面図、（ｄ）が平面図、（ｅ）が側方から視した側面図、（ｆ）がＧ−Ｇ断面図、（ｇ）が平面図、（ｈ）が側方から視した側面図、（ｉ）がＨ−Ｈ断面図、（ｊ）が平面図、（ｋ）が側方から視した側面図、（ｌ）がＩ−Ｉ断面図である。
【発明を実施するための形態】
【００１９】
以下に、本発明の実施形態に係る帯状抄紙用具の洗浄装置を図面に基づいて説明する。図１および図２は、本発明の実施形態に係る帯状抄紙用具の洗浄装置１０の外観図が示されている。図３、図４および図５は、部分的な拡大図が示されている。図６、図７および図８は除去部としてのスクレーパー２２および調節機構としてのスクレーパーブロック２６が示されている。なお、以下の説明では本実施形態を理解しやすくするため、各方向の基準を次のとおりとする。すなわち、帯状抄紙用具の長手方向を、送り出される方向５０とし、この送り出される方向のうち、前方を下流、後方を上流とし、帯状抄紙用具の幅方向（送り出される方向５０と直交する方向のうち、帯状抄紙用具と平行な方向）を側方とし、帯状抄紙用具厚み方向（帯状抄紙用具に垂直な方向）を高さ方向の上方または下方とする。
【００２０】
本実施形態に係る帯状抄紙用具の洗浄装置１０は、長手方向に送り出される帯状抄紙用具１を洗浄し、帯状抄紙用具１に付着した付着物を剥離して除去するものである。
【００２１】
図１および図２に示されているとおり、帯状抄紙用具の洗浄装置１０は、複数の並列摺動式スクレーパー型吸引箱１１が並列している。本実施形態では、並列摺動式スクレーパー型吸引箱１１の数は二つであるが、一つまたは二つ以上であってもよい。並列摺動式スクレーパー型吸引箱１１は往復動可変速駆動モーター４２によって、側方に向けて互いに平行に往復運動する。往復運動は、それぞれ同一方向であってもよく、また互い違いに異なる方向であってもよい。また静止状態であってもよい。
【００２２】
並列摺動式スクレーパー型吸引箱１１は側方に向けて長手であり、以下の部材から構成されている。すなわち、高さ方向の上方が開口されて吸引口１３が形成された箱状の吸引部としての吸引本体部材１２、吸引口１３に取り付けられ、送り出される帯状抄紙用具１の面が支持される支持面２０（図４参照）が形成された支持部１７、吸引口１３に取り付けられると共に支持部１７の下流側に配置され、高さ方向に帯状抄紙用具１と対面し、付着物に接触して付着物を除去する除去部としてのスクレーパー２２、支持面２０を基準面として基準面２０に対するスクレーパー２２の位置を調節する調節機構としてのスクレーパーブロック２６（図６参照）、支持部１７の上流側に配置され、付着物を湿潤させるための洗浄水が噴射される洗浄水噴出部４１（図３参照）、並列摺動式スクレーパー型吸引箱１１を往復運動させる駆動部としての往復動可変速駆動モーター４２、から構成されている。
【００２３】
図１および図２に示されているとおり、吸引本体部材１２は、両側方の端部が、往復動支持軸受１４を介して支持台１５によって支持されている。側方のうち、一方の端部は往復動可変速駆動モーター４２が取り付けられ、他方の端部は吸引パイプ１６が接続されている。
【００２４】
図３および図４に示されているとおり、支持部１７は、上流側支持部１８と下流側支持部１９とから構成され、吸引本体部材１２に形成された吸引口１３の長手方向の長さ（図３における側方の長さ）に倣って形成されている。上流側支持部１８は吸引口１３の上流側の縁に取り付けられ、下流側支持部１９は吸引口１３の下流側の縁に取り付けられている。すなわち、吸引口１３が、上流側支持部１８と下流側支持部１９との間に形成されている。各支持部１８，１９は、高さ方向の上方端に支持面２０が形成され、この支持面２０が、帯状抄紙用具１が洗浄される際の基準面となる。支持面２０は、帯状抄紙用具１から離れる方向（高さ方向の下方）に傾斜した傾斜部２１が形成されている。なお、傾斜部２１は、各支持部１８，１９に形成されていてもよい。
【００２５】
図３および図６に示されているとおり、スクレーパー２２は、吸引本体部材１２に形成された吸引口１３の長手方向の長さ（図３における側方の長さ）に倣って形成されている。スクレーパー２２は、各支持部１８，１９の間に配置され、各支持部１８，１９と間を空けて吸引口１３に取り付けられている。スクレーパー２２は以下の部材から構成されている。すなわち、スクレーパー２２は、スクレーパー支持台部材２３、このスクレーパー支持台部材２３に取り付けられたスクレーパーブロック２６、スクレーパー支持台部材２３とスクレーパーブロック２６との間に介在させられた空気圧チューブ３４、スクレーパーブロック２６に取り付けられたスクレーパー本体部材３５、このスクレーパー本体部材３５に取り付けられた掻き取り部材３９、高さ方向におけるスクレーパー本体部材３５の上方または下方への移動を規制する規制部材４０から構成されている。
【００２６】
スクレーパー支持台部材２３は、高さ方向の上方が開口されて昇降路部２４が形成され、横断面がコ字状である。昇降路部２４の開口端２５は規制部材４０が取り付けられ、この規制部材４０によって開口端２５の幅が狭められている。昇降路部２４は、空気圧チューブ３４、スクレーパーブロック２６、およびスクレーパー本体部材３５が取り付けられている。
【００２７】
空気圧チューブ３４は長手であり、側方のうち一方の端部から他方の端部まで連続し、昇降路部２４の底に配置されている。
【００２８】
スクレーパーブロック２６は長手であり、空気圧チューブ３４の上に載せられている。スクレーパーブロック２６は以下の部材から構成されている。すなわち、スクレーパーブロック２６は、上部テーパーブロック２７、下部テーパーブロック２８、各テーパーブロック２７，２８に取り付けられた調節ネジ３２、この調節ネジ３２の回転を規制するストッパー３３から構成されている。
【００２９】
図６および図７に示されているとおり、各テーパーブロック２７，２８は板状に形成され、互いに対面して配置されている。互いが対面する側の面は、複数のテーパー部材２９，３０がそれぞれ取り付けられている。各テーパー部材２９，３０は、各テーパーブロック２７，２８の長手方向（図６における側方）に傾斜すると共に、互い違いの向きで対面している。すなわち、各テーパー部材２９，３０は、上部テーパーブロック２７に取り付けられた上部テーパー部材２９が長手方向（図６における側方）に向けて上り傾斜であれば、この上部テーパー部材２９と対面する下部テーパーブロック２８に取り付けられた下部テーパー部材３０は、同じ方向（図６における側方）に向けて下り傾斜である。なお、上部テーパーブロックに取り付けられた上部テーパー部材が長手方向（図６における側方）に向けて下り傾斜であれば、この上部テーパー部材と対面する下部テーパーブロックに取り付けられた下部テーパー部材は、同じ方向（図１における側方）に向けて上り傾斜である。
【００３０】
図７に示されているとおり、各テーパーブロック２７，２８は、互いに対面する側の面のうち、長手方向（図１における側方）の一方の端部に調節用雌ネジ部３１が形成されている。各雌ネジ部３１には調節用ネジ３２が取り付けられている。各調節ネジ３２は操作側が多角形に形成されている。ストッパー３３は板状に形成され、互いに同じ形の溝が二つ並列して形成されている。各溝は、調節ネジ３２の操作側と同じ多角形状である。
【００３１】
図６に示されているとおり、スクレーパー本体部材３５は長手であり、上部テーパーブロック２７の上に乗せられている。スクレーパー本体部材３５は、幅方向（図６における送り出される方向５０）の両側面（図６における上流側および下流側の面）に昇降代溝部３６が形成されている。この昇降代溝部３６は、掻き取り部材３９が取り付けられる掻き取り部材受け部３７と、昇降路通過部３８との間に形成されている。掻き取り部材受け部３７は、スクレーパー支持台部材２３の昇降路部２４よりも幅方向（図６における送り出される方向５０）に大きく形成され、一方、昇降路通過部３８は昇降路部２４よりも幅方向（図６における送り出される方向５０）に僅かに小さく形成されている。スクレーパー本体部材３５は、昇降路通過部３８が昇降路部２４に配置され、昇降代溝部３６に規制部材４０が配置されている。すなわち、スクレーパー本体部材３５は、昇降路通過部３８が規制部材４０に接触することで上昇（図６における高さ方向の上方への移動）が規制され、一方、掻き取り部材受け部３７が規制部材４０に接触することで下降（図６における高さ方向の下方への移動）が規制される。スクレーパー本体部材３５は、高さ方向において昇降代溝部３６の範囲（図６の昇降代の範囲）で上昇および下降する。スクレーパー本体部材３５が高さ方向において上昇および下降すると共に、基準面に対する掻き取り部材３９の位置が変化する。
【００３２】
図８に示されているとおり、掻き取り部材３９は、例えば、平行四辺形や角丸長方形などでありスクレーパー本体部材３５の掻き取り部材受け部３７の表面上に取り付けられている。掻き取り部材は３９、スクレーパー本体部材３５の長手方向（図１における側方）と交差する方向（図１における送り出される方向５０）に傾斜している。なお、掻き取り部材３９の形状または個数、傾斜する方向、間隔などは、それぞれ任意である。
【００３３】
図３に示されているとおり、洗浄水噴出部４１は長手のパイプ状であり、長手方向（図３における側方）に並べて形成された複数の孔から洗浄水が噴出される。洗浄水は支持部１７の傾斜部２１と帯状抄紙用具１との間に向けて噴射される。
【００３４】
以上のとおり、帯状抄紙用具の洗浄装置１０が構成されている。
【００３５】
次に、帯状抄紙用具の洗浄装置１０の作用を説明する。
【００３６】
図６に示されているとおり、各調節ネジ３２を回転させることで各テーパーブロック２７，２８を長手方向（図６における側方）に移動させ、スクレーパー本体部材３５の高さ方向の位置を、基準面となる支持面２０より下方に調節する。詳説すれば、各テーパーブロック２７，２８が長手方向（図６における側方）に向けて移動することで、各テーパー部材２９，３０を介して摺動し、上部テーパーブロック２７は、下部テーパーブロック２８に対する高さ方向の位置が変化する。高さ方向の位置が調節された各テーパーブロック２７，２８は、ストッパー３３が取り付けられて固定される。
【００３７】
その状態で、空気圧チューブ３４に空気を流入させ、スクレーパーブロック２６を下方から押し上げる。スクレーパーブロック２６が押し上げられることで、スクレーパー本体部材３５は高さ方向において昇降代溝部３６の範囲（図６の昇降代の範囲）で上昇し、昇降路通過部３８が規制部材４０に接触して押し付けられることで上昇（図６における高さ方向の上方への移動）が規制される。すなわち、昇降路通過部３８が空気圧チューブ３４によって押し付けられて固定されることで、スクレーパー２２（掻き取り部材３９）の高さ方向の位置が決定する。
【００３８】
例えば、帯状抄紙用具１がフェルトである場合、図４に示されているとおり、スクレーパー２２（掻き取り部材３９）の位置が基準面に対し、高さ方向の下方に調節され、スクレーパー２２（掻き取り部材３９）が帯状抄紙用具１の面と間隔を空けて配置される。
【００３９】
支持部１７の支持面２０が帯状抄紙用具１の面と接触し、掻き取り部材３９が帯状抄紙用具１と接触せずに間隔を空けて対面する。この状態で、並列摺動式スクレーパー型吸引箱１１が、往復動可変速駆動モーター４２によって、側方に向けて互いに平行に往復運動する。すなわち、スクレーパー２２（掻き取り部材３９）が帯状抄紙用具１の面と間隔を空けて対面したまま帯状抄紙用具１に沿って往復運動する。
【００４０】
一方、帯状抄紙用具１がワイヤーファブリックやカンバスである場合、図５に示されているとおり、スクレーパー２２（掻き取り部材３９）の位置が基準面に対し、高さ方向の上方に調節され、スクレーパー２２（掻き取り部材３９）が帯状抄紙用具１の面に押し当てられて配置される。この状態で、並列摺動式スクレーパー型吸引箱１１が、往復動可変速駆動モーター４２によって、側方に向けて互いに平行に往復運動する。すなわち、スクレーパー２２（掻き取り部材３９）が帯状抄紙用具１の面に押し当てられたまま帯状抄紙用具１に沿って往復運動する。
【００４１】
同時に、洗浄水噴出部４１から、支持面２０の傾斜部２１と帯状抄紙用具１との間に向けて洗浄水が噴射される（図３参照）。洗浄水によって付着物が湿潤する。
【００４２】
帯状抄紙用具１に付着した付着物は、掻き取り部材３９によって掻き取られる。詳説すれば、帯状抄紙用具１が下流側から上流側に送り出される際、付着物は掻き取り部材３９の縁が接触し、スクレーパー２２の往復運動と帯状抄紙用具１の移動とによって帯状用紙用具１に対してほぼ平行に引っ張られて剥離され、除去される。
【００４３】
掻き取り部材３９によって剥離された付着物や、途中まで剥離されて除去されかかった付着物が、吸引本体部材１２によって吸引される。
【００４４】
次に、帯状抄紙用具の洗浄装置１０の効果を説明する。
【００４５】
上記したとおり、本実施形態によれば、各支持部１８，１９は、高さ方向の上方端に支持面２０が形成され、この支持面２０が、帯状抄紙用具１が洗浄される際の基準面となる。例えば、帯状抄紙用具１がフェルトである場合、図４に示されているとおり、スクレーパー２２（掻き取り部材３９）の位置が基準面に対し、高さ方向の下方に調節され、スクレーパー２２（掻き取り部材３９）が帯状抄紙用具１の面と間隔を空けて配置される。スクレーパー２２は帯状抄紙用具１の面と対面したまま帯状抄紙用具１に沿って往復運動する。この構成により帯状抄紙用具１が下流側から上流側に送り出される際、付着物は掻き取り部材３９の縁が接触し、スクレーパー２２の往復運動と帯状抄紙用具１の移動とによって帯状用紙用具１に対してほぼ平行に引っ張られて剥離され、除去される。したがって、掻き取り部３９が付着物にのみ接触するため、洗浄に際して帯状抄紙用具１を傷め難くすることができる。
【００４６】
一方、帯状抄紙用具１がワイヤーファブリックやカンバスである場合、図５に示されているとおり、スクレーパー２２（掻き取り部材３９）の位置が基準面に対し、高さ方向の上方に調節され、スクレーパー２２（掻き取り部材３９）が帯状抄紙用具１の面に押し当てられて配置される。すなわち、スクレーパー２２（掻き取り部材３９）が帯状抄紙用具１の面に押し当てられたまま帯状抄紙用具１に沿って往復運動する。したがって、帯状抄紙用具１の種類に応じて適切に洗浄することができる。
【００４７】
本実施形態によれば、支持面２０は、帯状抄紙用具１から離れる方向（高さ方向の下方）に傾斜した傾斜部２１が形成されている。この構成により、帯状抄紙用具１が接触する支持面２０の縁が鈍角に形成され、縁が帯状抄紙用具１に接触しない。したがって、帯状抄紙用具１を傷めずに送り出すことができ、洗浄することができる。
【００４８】
本実施形態によれば、スクレーパーブロック２６は、各テーパーブロック２７，２８が互いに対面して配置され、互いが対面する側の面に、複数のテーパー部材２９，３０がそれぞれ取り付けられている。各テーパー部材２９，３０は、各テーパーブロック２７，２８の長手方向に傾斜すると共に、互い違いの向きで対面している。各テーパーブロック２７，２８を側方に向けて移動させることで、上部テーパーブロック２７は各テーパー部材２９，３０を介して摺動し、下部テーパーブロック２８に対する高さ方向の位置が変化する。この構成により、帯状抄紙用具１の種類や、付着物の大きさなどに応じて、帯状抄紙用具１とスクレーパー２２（掻き取り部材３９）との間隔が適切な間隔に任意に調節される。したがって、線状に際して帯状抄紙用具１を傷め難くすることができ、帯状抄紙用具１の種類に応じて適切に洗浄することができる。
【００４９】
本実施形態によれば、支持部１７は、上流側支持部１８と下流側支持部１９とから構成され、吸引本体部材１２に形成された吸引口１３の長手方向の長さ（図３における側方の長さ）に倣って形成されている。上流側支持部１８は吸引口１３の上流側の縁に取り付けられ、下流側支持部１９は吸引口１３の下流側の縁に取り付けられている。すなわち、吸引本体部材１２の吸引口１３が、上流側支持部１８と下流側支持部１９とから形成され、吸引口１３の内側にスクレーパー２２が配置されることにより、各部１２，２２が一体である。掻き取り部材３９によって剥離された付着物や、途中まで剥離されて除去されかかった付着物が、吸引本体部材１２によって吸引される。したがって、省スペースを実現することができる。
【００５０】
本実施形態によれば、洗浄水噴出部４１は支持部１７の上流側に配置され、支持面２０の傾斜部２１と帯状抄紙用具１との間に向けて洗浄水が噴射される。したがって、付着物を湿潤させて剥離しやすくすることができ、支持面２０に対する帯状抄紙用具１の摺動を潤滑にすることができる。
【００５１】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５２】
１                  帯状抄紙用具
１０                帯状抄紙用具の洗浄装置
１１                並列摺動式スクレーパー型吸引箱
１２                吸引本体部材（吸引部）
１３                吸引口
１４                往復動支持軸受
１５                支持台
１６                吸引パイプ
１７                支持部
１８                上流側支持部
１９                下流側支持部
２０                支持面
２１                傾斜部
２２                スクレーパー（除去部）
２３                スクレーパー支持台部材
２４                昇降路部
２５                開口端
２６                スクレーパーブロック（調節機構）
２７                上部テーパーブロック
２８                下部テーパーブロック
２９                上部テーパー部材
３０                下部テーパー部材
３１                調節用雌ネジ部
３２                調節ネジ
３３                ストッパー
３４                空気圧チューブ
３５                スクレーパー本体部材
３６                昇降代溝部
３７                掻き取り部材受け部
３８                昇降路通過部
３９                掻き取り部材
４０                規制部材
４１                洗浄水噴出部
４２                往復動可変速駆動モーター
５０                送り出される方向
【図１】
0005842301.tif 000002
【図２】
0005842301.tif 000003
【図３】
0005842301.tif 000004
【図４】
0005842301.tif 000005
【図５】
0005842301.tif 000006
【図６】
0005842301.tif 000007
【図７】
0005842301.tif 000008
【図８】
0005842301.tif 000009